(57)【要約】【課題】  改修用サッシにおいて、連窓の改修作業を、連窓を構成する各改修用窓枠ごとに行うことができるようにして、改修作業の効率化を図る。【解決手段】  改修用窓枠と方立とを備え、方立は、室外壁と、室内壁と、室外壁と室内壁とを連結する連結壁とからなり、室外壁は、その両側の室内側面には改修用窓枠の室外側面が当接し、連結壁は、改修用窓枠の縦枠外周面が当接する当接部を有するとともに、当接部の室外側部位であって室外壁の室内側に凹部が形成されている。【選択図】  図６
2015132149.tif 000002
【特許請求の範囲】
【請求項１】
改修用窓枠と方立とを備え、
方立は、室外壁と、室内壁と、室外壁と室内壁とを連結する連結壁とからなり、
室外壁は、その両側の室内側面には改修用窓枠の室外側面が当接し、
連結壁は、改修用窓枠の縦枠外周面が当接する当接部を有するとともに、当接部の室外側部位であって室外壁の室内側に凹部が形成されている
ことを特徴とする改修用サッシ。
【発明の詳細な説明】
【技術分野】
【０００１】
本発明は、建物に設けられている既設窓を改修するための改修用サッシに関する。
【背景技術】
【０００２】
従来、既設枠を残したまま改修用サッシを既設枠に被せるように施工する改修方法が知られており、改修用サッシを補助部材を介して既設サッシに固定していた。
【先行技術文献】
【特許文献】
【０００３】
【特許文献１】実公昭６２−２６５４０号公報
【発明の概要】
【発明が解決しようとする課題】
【０００４】
しかしながら、全体の開口面積の広い連窓を改装する場合、開口面積を確保しながら改修を行うには複数の窓枠を方立により一体に連結した後に既設窓枠に装着しなければならないために、改修作業が大がかりとなっていた。
【０００５】
本発明は、上記事情を鑑みたものであり、連窓の改装を行うに際して、開口面積を確保しながら連窓を一体化することなく装着作業ができ、施工の効率を向上させることのできる改修用サッシを提供することを目的とする。
【課題を解決するための手段】
【０００６】
本発明の改修用サッシは、改修用窓枠と方立とを備え、方立は、室外壁と、室内壁と、室外壁と室内壁とを連結する連結壁とからなり、室外壁は、その両側の室内側面には改修用窓枠の室外側面が当接し、連結壁は、改修用窓枠の縦枠外周面が当接する当接部を有するとともに、当接部の室外側部位であって室外壁の室内側に凹部が形成されていることを特徴とする。
【発明の効果】
【０００７】
本発明によれば、連窓の改修作業を、連窓を構成する各改修用窓枠ごとに行うことができ、改修作業の効率化を図ることができる。
【図面の簡単な説明】
【０００８】
【図１】本発明の実施形態に係る改修用サッシの横断面図である。
【図２】本発明の実施形態に係る改修用サッシの左改修サッシの縦断面図である。
【図３】本発明の実施形態に係る改修用サッシの右改修サッシの縦断面図である。
【図４】本発明の実施形態に係る改修用サッシの方立を示す横断面図である。
【図５】本発明の実施形態に係る改修用サッシの方立を示す縦断面図である。
【図６】本発明の実施形態に係る改修用サッシの右改修サッシを装着する際の方立を示す横断面図である。
【図７】本発明の実施形態に係る改修用サッシの右改修サッシを装着するための動きを示す説明図である。
【発明を実施するための形態】
【０００９】
（全体の構成）
本発明を、開口部左側の嵌め殺しタイプの改修サッシと開口部右側の引き違いタイプの改修サッシを方立により連結してなる改修用サッシの例を示して説明する。
【００１０】
改修前の状態においては、建物の開口部には、左右両側のサッシを方立により連結した連窓サッシが装着されており、改修作業において、左側のサッシの右縦枠と右側のサッシの左縦枠及び方立が除去されて、その他の窓枠が残存する状態で改修用サッシの取り付けが行われる。
残存する既設の窓枠に固定される改修用サッシは、左右の改修サッシ１，２と、左右の改修サッシ１，２を連結する方立３とを備えており、左改修サッシ１の改修用右縦枠１４と右改修サッシ２の改修用左縦枠２３とが方立３の両側に連結されるとともに、左改修サッシ１の改修用左縦枠１３が建物開口部の既設左縦枠４３に対して固定され、右改修サッシ２の改修用右縦枠２４が建物開口部の既設右縦枠５４に対して固定され、左右の改修サッシ１，２の改修用上下枠１１，１２，２１，２２が建物開口部の既設上下枠４１，４２，５１，５２に固定されることにより、改修用サッシが建物開口部に装着されている。方立３自体は、既設窓枠に対して固定されてはいない。
【００１１】
（左改修サッシの構成）
図１及び図２を参照して左改修用窓枠を説明する。
左側の改修サッシ１は、アルミ材の押出形材からなり、改修用上枠１１，改修用下枠１２、左右一対の改修用縦枠１３，１４、及び、各改修用枠を既設枠体に取り付けるための捨枠とで構成されており、各改修用窓枠を四周に組んでその内周にガラス等のパネルが嵌め込まれてなる嵌め殺しタイプのサッシである。
【００１２】
改修用上枠１１は、内周面にガラス溝を有する改修用上枠本体１１１と、改修用上枠本体１１１の室外側端部から上方に向けて突出し気密材を取付ける溝を備えた室外側上突出片１１２と改修用上枠本体１１１の室内側端部から室内方向に向けて設けられた室内側フランジ片１１３とからなり、改修用上枠本体１１１の一部には、既設上枠４１に固定するための固定部１１４が形成されている。
【００１３】
改修用上枠１１を既設上枠４１に取り付けるための上捨枠１５は、既設上枠４１の下面に当接する水平壁１５１と水平壁１５１の室内側端より上方に屈曲して延設される屈曲壁１５２とからなり、上捨枠１５の水平壁１５１の外周面が既設上枠４１の内周面に当接されるとともに、屈曲壁１５２が既設上枠４１の室内側面に当接され、上捨枠１５の水平壁１５１の下面よりネジ等により既設上枠４１に固定される。
【００１４】
既設上枠４１に固定された上捨枠１５の水平壁１５１の下面には、適宜枚数のスペーサ７が挿入され、スペーサ７の下面に対して改修用上枠１１の固定部１１４の上面及び室内側フランジ片１１３の上面が当接して、スペーサ７とともに上捨枠１５及び既設上枠４１にネジ止め固定される。
【００１５】
改修用下枠１２は、上面にガラス溝を有する改修用下枠本体１２１と、改修用下枠本体１２１の室内側端部から室内方向に向けて設けられた室内側フランジ片１２２と、改修用下枠本体１２１の下面より下方に延設される水切壁１２３とからなり、改修用下枠本体１２１の下面及び水切壁１２３の室内側面が下捨枠１６に対する位置決めの基準となる基準面として構成されている。
【００１６】
改修用下枠１２を既設下枠４２に取り付けるための下捨枠１６は、既設下枠４２の室内側の上面に載置され改修用下枠１２の改修用下枠本体１２１が載置される上壁１６１と、上壁１６１の室外側端部より下方に垂下する垂下壁１６２と、垂下壁１６２の下部に設けられた高さ位置調節手段１６３とを備えており、上壁１６１の上面及び垂下壁１６２の室外側面が、改修用下枠１２の改修用下枠本体１２１及び水切壁１２３を位置決めする基準面として構成されている。
【００１７】
そして、下捨枠１６の上壁１６１が既設下枠４２の室内側の上面に載置されるとともに、垂下壁１６２に設けられた高さ位置調節手段１６３を調節することにより、下捨枠１６を既設下枠４２に対して位置決めした状態で固定することができる。
【００１８】
既設下枠４２に固定された下捨枠１６の上壁１６１の上面及び垂下壁１６２の室外側面に対して、改修用下枠本体１２１の下面及び水切壁１２３の室内側面が当接するように改修用下枠１２を載置することにより、改修用下枠１２の位置決めができ、ネジ等により改修用下枠１２が下捨枠１６を介して既設下枠４２に固定される。
【００１９】
左右一対の改修用縦枠１３、１４は、内周側にガラス溝を有する改修用縦枠本体１３１，１４１と、改修用縦枠本体１３１，１４１の室外側端部から外周方向に突出し気密材を取付ける溝を備えた室外側横突出片１３２，１４２と、改修用縦枠本体１３１，１４１の略中央付近及び室内側部位から外周方向に突設される突片１３３，１４３，１３４，１４４と、改修用縦枠本体１３１，１４１の室内側に延設され外周方向に屈曲して形成される室内側フランジ片１３５，１４５とからなる。
【００２０】
改修用左縦枠１３を既設左縦枠４３に取り付けるための縦捨枠１７は、既設左縦枠４３の内周に当接される内周壁１７１と、内周壁１７１の室外側端部より外周側に屈曲して延びる室外壁１７２と、内周壁１７１の室内側端部より外周側に屈曲して延びる室内壁１７３とからなり、縦捨枠１７の内周壁１７１の外周面を既設左縦枠４３のガラス溝の内周端に当接させて、室外壁１７２を既設左縦枠４３の室外側壁にネジ等により連結して、縦捨枠１７が既設左縦枠４３に固定されている。
【００２１】
既設左縦枠４３に固定された縦捨枠１７の内周壁１７１の内周面には、適宜枚数のスペーサ７が配置され、スペーサ７の内周面に改修用左縦枠１３の改修用縦枠本体１３１の外周面に設けられた第１及び第２の脚片１３３，１３４及び室内側フランジ片１３５の先端部が当接し、スペーサ７とともに縦捨枠１７にネジ止め固定される。
【００２２】
（右改修サッシの構成）
図１及び図３を参照して右改修用窓枠を説明する。
右側の改修サッシ２は、アルミ材の押出形材からなり、改修用上枠２１，改修用下枠２２、左右一対の改修用縦枠２３，２４、及び、各改修用枠を既設枠体に取り付けるための捨枠とで構成されており、各改修用窓枠を四周に組んでその内周に室内外２枚の障子が摺動する引き違いタイプのサッシである。
【００２３】
改修用上枠２１は、内周側に図示しない内外障子を保持するガイドを有する改修用上枠本体２１１と、改修用上枠本体２１１の室外側端部から上方に向けて突出し気密材を取付ける溝を備えた室外側上突出片２１２と改修用上枠本体２１１の室内側端部から室内方向に向けて設けられた室内側フランジ片２１３とからなり、改修用上枠本体２１１の一部には、既設上枠５１に固定するための固定部２１４が形成されている。
【００２４】
改修用上枠２１を既設上枠５１に取り付けるための上捨枠２５は、既設上枠５１の下面に当接する水平壁２５１と、水平壁２５１の室外側上面より上方に延設される室外側片２５２と、水平壁２５１の室内側上面より上方に延設される室内側片２５３とからなり、上捨枠２５の水平壁１５１の外周面が既設上枠５１の内周端に当接されるとともに、室外側片２５２及び室内側片２５３が既設上枠５１の室外内側壁にネジ等により連結され、上捨枠２５が既設上枠５１に固定される。
【００２５】
既設上枠５１に固定された上捨枠２５の水平壁２５１の下面には、適宜枚数のスペーサ７が挿入され、スペーサ７の下面に対して改修用上枠２１の固定部２１４の上面及び室内側フランジ片２１３の上面が当接して、スペーサ７とともに上捨枠２５及び既設上枠５１にネジ止め固定される。
【００２６】
改修用下枠２２は、上面に内外レールを有し室外側から室内側に向けて階段状に形成される改修用下枠本体２２１と、改修用下枠本体２２１の室外側端部から下方に垂下する室外側垂下壁２２２と、改修用下枠本体２２１の室内側端部から上方に向けて設けられた室内側壁部２２３と、室内側壁部２２３の下方に連続して設けられる支持壁２２４とからなる。
【００２７】
改修用下枠２２は、その室内側を既設下枠５２の室内側レールに固着されている支持部材２６により支持されるとともに、室外側垂下壁２２２を既設下枠５２の室外端より外周方向に延設する壁部にビス等により固定されている。
【００２８】
左右一対の改修用縦枠２３、２４は、内周側に図示しない内外障子の戸当たり部を受ける戸受部を有する改修用縦枠本体２３１，２４１と、改修用縦枠本体２３１，２４１の室外側端部から外周方向に突出し気密材を取付ける溝を備えた室外側横突出片２３２，２４２と、改修用縦枠本体２３１，２４１の略中央付近及び室内側部位から外周方向に突設される突片２３３，２４３，２３４，２４４と、改修用縦枠本体２３１，２４１の室内側に延設され外周方向に屈曲して形成される室内側フランジ片２３５，２４５とからなる。
【００２９】
改修用右縦枠２４を既設右縦枠５４に取り付けるための縦捨枠２８は、既設右縦枠５４の内周に当接される内周壁２８１と、内周壁２８１の室外側端部より外周側に屈曲して延びる室外壁２８２と、内周壁２８１の室内側端部より外周側に屈曲して延びる室内壁２８３とからなり、縦捨枠２８の内周壁２８１の外周面を既設右縦枠５４の内周端に当接させて、室外壁２８２及び室内壁２８３を既設右縦枠５４の室外内側壁にネジ等により連結して、縦捨枠２８が既設右縦枠５４に固定されている。
【００３０】
既設右縦枠５４に固定された縦捨枠２８の内周壁２８１の内周面には、適宜枚数のスペーサ７が配置され、スペーサ７の内周面に改修用右縦枠２４の改修用縦枠本体２４１の外周面に設けられた脚片２４３，２４４及び室内側フランジ片２４５の先端部が当接し、スペーサ７とともに縦捨枠２８にネジ止め固定される。
【００３１】
（方立の構成）
図４、５を参照して方立を説明する。
方立３は、アルミ材の押出形材からなり、室外壁３１と、室内壁３２と、室外壁３１と室内壁３２とを連結する左右一対の連結壁３３，３４とからなり、その断面は中空略矩形の形状をなしている。室内壁３２の室内側には、化粧枠６１を係止するための左右一対の爪部３７が設けられている。
【００３２】
左右の連結壁３３，３４は、左改修サッシ１の改修用右縦枠１４と右改修サッシ２の改修用左縦枠２３を固定する左右の固定部３３２，３４２と、左右の固定部３３２，３４２の室外側から左右の間隔が小さくなるように屈曲して延びて室外壁３１に連結される左右の凹壁部３３３，３４３と、左右の固定部３３２，３４２の室内側から左右の間隔が小さくなるように屈曲して室外側に延びる左右の室内側壁部３３４，３４４と、再び間隔を広げて室内壁３２に連結される左右の当接壁部３３５、３４５とを有しており、左右の凹壁部３３３，３４３と室外壁３１とにより、室外壁３１の室内側に左右の凹部３５、３６が形成されている。
【００３３】
室外壁３１の室内側に形成される左右の凹部３５，３６は、改修用右縦枠１４の室外側横突出片１４２及び改修用左縦枠２３の室外側横突出片２３２を収容するには十分に大きく形成されており、方立３に改修用右縦枠１４、改修用左縦枠２３を固定した状態において、改修用右縦枠１４の室外側横突出片１４２、及び，改修用左縦枠２３の室外側横突出片２３２の先端と凹壁部３３３，３４３との間には隙間ｂ、ｃが形成されている。
【００３４】
そして、左右の凹部３５，３６を形成する方立３の室外壁３１の両側の室内側面に改修用右縦枠１４、改修用左縦枠２３の室外側横突出片１４２，２３２の室外側面が当接するとともに、方立３の固定部３３２，３４２及び当接壁部３３５，３４５に改修用右縦枠１４，改修用左縦枠２３の突片１４３，１４４，２３３，２３４及び室内側フランジ片１４５，２３５の先端が内周方向から当接した状態で、方立３と改修用右縦枠１４，改修用左縦枠２３とが連結される。方立３の固定部３３２，３４２及び当接壁部３３５，３４５とにより改修用右縦枠１４，改修用左縦枠２３の外周面が当接する当接部が構成されている。
【００３５】
方立３に改修用右縦枠１４，改修用左縦枠２３を固定した状態において、方立３の室内壁３２の室内面と、改修用右縦枠１４の室内側フランジ片１４５の室内側面、及び、改修用左縦枠２３の室内側フランジ片２３５の室内側面とは面一となり、方立３の室内側面と改修用縦枠１４、２３の室内側面とに亘ってシールテープ８１が貼着され、さらに、化粧枠６１が爪部３７を介して取付けられる。
【００３６】
このように、方立３の固定部３３２，３４２及び当接壁部３３５，３４５に改修用右縦枠１４，改修用左縦枠２３の突片１４３，１４４，２３３，２３４及び室内側フランジ片１４５，２３５の先端が内周方向から当接することにより、方立３に対する改修用右縦枠１４，改修用左縦枠２３の左右方向の位置決めをすることができ、方立３の室外壁３１の両側の室内側面に改修用右縦枠１４，改修用左縦枠２３の室外側横突出片１４２，２３２の室外側面が当接することにより、方立３の見込み方向の位置決めを容易に行うことができる。
【００３７】
また、方立３の室内壁３２の室内面と、改修用右縦枠１４の室内側フランジ片１４５の室内側面、及び、改修用左縦枠２３の室内側フランジ片２３５の室内側面とが面一となるように形成されているので、方立３の室内側面と改修用縦枠１４、２３の室内側面とに亘ってシールテープ８１を確実に貼着することが可能となり、方立３と縦枠との間のシールを簡単、かつ、良好に行うことができるので、別途縦枠と方立との間にパッキン等のシール材を設ける必要がなく、水密性を確保できる。
【００３８】
なお、方立３の固定部３３２，３４２と当接壁部３３５，３４５とは一体的に連続して形成されて、改修用右縦枠１４，改修用左縦枠２３の突片１４３，１４４，２３３，２３４及び室内側フランジ片１４５，２３５の先端が当接する一つの当接部として構成されていてもよく、また、方立３の左右両側面に当接部と当接部の室外側の凹部が形成されれば、室外壁３１と室内壁３２とを連結する連結壁３３，３４はその構成は限定されるものではなく、例えば、室内側においては左右一対であって室外側においては一つに連結されている断面形状を有するものでもよい。
【００３９】
なお、方立３の上面は略面一に形成されるとともにその室外側縁部が切欠かれ、切欠きに気密材を備えるカバー部材３８が装着されており、改修用サッシを既設の窓枠に設置したときに方立３の上面が左右の改修用窓枠の上面と面一となるように連結されるとともに、カバー部材３８に備えられた気密材により方立３と既設窓枠との気密がなされる。
また、方立３の下面は、室内側が切除されて階段状となっており、室外側の下端には、方立３下面の開口を覆うキャップ３９が装着されている。
【００４０】
（改修方法）
まず、建物の開口部に配設された既設の連窓の窓枠のうち、方立及び方立に連結される縦枠を除去し、その他、建物の開口部に直接固定された左側の既設窓の既設上枠４１、既設下枠４２、既設左縦枠４３、及び、右側の既設窓の既設上枠５１，既設下枠５２、既設右縦枠５４については残存させる。そして、残存する既設窓枠において、改修用窓枠の取り付けの障害となる部分（例えば図３の既設右下枠の室外側レールａ等）があれば切除する。
【００４１】
残存する左側の既設窓枠の既設上枠４１、既設下枠４２及び既設左縦枠４３の内周面に、それぞれ上捨枠１５、下捨枠１６及び縦捨枠１７をネジ等により固着する。特に、下捨枠１６は、高さ位置調節手段１６３を調節するなどして高さ方向及び見込み方向に基準面の位置決めをした状態で既設下枠４２に固着する。
【００４２】
既設枠体に固着された下捨枠１６に対して、改修用上枠１１，改修用下枠１２、左右一対の改修用縦枠１３，１４を四周に組んでなる左改修サッシ１を、下捨枠１６の基準面に改修用下枠１２の基準面を合わせるように載置し、上捨枠１５と改修用上枠１１との間、及び、縦捨枠１７と改修用縦枠１３との間にスペーサ７を適当数配置して、ネジ等により固着する。
【００４３】
次に、開口部の左側に固着された左改修サッシ１の改修用右縦枠１４に方立３を固着する。具体的には、改修用右縦枠１４の室外側横突出片１４２の室外側面を方立３の室外壁３１の室内側面に当接し、突片１４３，１４４及び室内側フランジ片１４５を方立３の固定部３３２及び当接壁部３３５に当接させて改修用右縦枠１４の内周側から固定部３３２に対してネジ止めして固着することにより、左改修サッシ１に対して方立３を固定する。
【００４４】
方立３が固定されると、次に、残存する右側の既設窓枠の既設上枠５１、既設右縦枠５４の内周面に上捨枠２５、縦捨枠２８を固定し、既設下枠５２の室内側レールに支持部材２６を固定し、方立３の右側面、上捨枠２５、縦捨枠２８、支持部材２６により形成される右側開口に対して、改修用上枠２１，改修用下枠２２、左右一対の改修用縦枠２３，２４を四周に組んでなる右改修サッシ２をその室外側角部を回動中心として図６、７の矢印Ａ方向に回動させることにより挿入する。
【００４５】
このとき、方立３の側面の室外側には凹部３６が形成され、改修用左縦枠２３の室外側横突出片２３２の先端と凹壁部３４３との間に隙間ｃが形成されているとともに、方立３に左右の改修用縦枠１４，２３の室内側面に当接する部位がないので、改修用左縦枠２３の室外側横突出片２３２を方立３の凹部３６の隙間ｃ内に位置させて、室外側横突出片２３２を回動軸として右改修サッシ２を図６、７の矢印Ａ方向に回動させることにより、改修用左縦枠２３を方立３に対する接合位置に配置することができ、改修用右縦枠２４の外周端が既設縦枠５４に固定された縦捨枠２８の内周壁２８１に近接した状態で右改修サッシ２を方立３と縦捨枠２８との間に挿入することができる。
【００４６】
そして、右改修サッシ２の改修用下枠２２を支持部材２６にネジ等により固定するとともに、改修用上枠２１と上捨枠２５との間、改修用右縦枠２４と縦捨枠２８との間にスペーサ７を挿入して、各改修枠体をビス等によって固定する。
【００４７】
既設窓枠に対して、左右の改修サッシ１，２、及び、方立３が取付けられた状態では、改修用右縦枠１４、改修用左縦枠２３、及び、方立３のそれぞれの室内側面が面一となり、改修用右縦枠１４と方立３との間、及び、改修用左縦枠２３と方立３との間に亘って室内側よりシールテープ等のシール材を貼着することにより、別途方立３と改修用右縦枠１４、改修用左縦枠２３との間にパッキン等を設けることなく、良好な水密性を簡単に確保できる。
【００４８】
−本発明の実施形態による作用・効果−
以上のように、本発明の実施形態の改修用サッシは、改修用連窓を構成する方立の側面の室外側部位に改修サッシの縦枠の室外側角部が挿入される凹部を設けたので、凹部内に配置される縦枠の室外側角部を中心として改修サッシを回動させて方立と捨枠との間に挿入することができるので、改修サッシの横幅を方立の横に形成される空間の幅とほぼ同じ寸法とすることでき、開口面積を確保しながら、複数の窓枠が連結されて構成される連窓を各窓枠に分けて開口部に装着することができ、装着作業の簡素化ができる。
【符号の説明】
【００４９】
１  左改修サッシ
１１  改修用上枠
１１１  改修用上枠本体
１１２  室外側上突出片
１１３  室内側フランジ片
１１４  固定部
１２  改修用下枠
１２１  改修用下枠本体
１２２  室内側フランジ片
１２３  水切壁
１３  改修用左縦枠
１３１  改修用縦枠本体
１３３，１３４  脚片
１３５  室内側フランジ片
１４  改修用右縦枠
１４１  改修用縦枠本体
１４３，１４４  脚片
１４５  室内側フランジ片
１５  上捨枠
１５１  水平壁
１５２  屈曲壁
１６  下捨枠
１６１  上壁
１６２  垂下壁
１６３  高さ位置調節手段
１７縦捨枠
１７１  内周壁
１７２  室外壁
１７３  室内壁
２  右改修サッシ
２１  改修用上枠
２１１  改修用上枠本体
２１２  室外側上突出片
２１３  室内側フランジ片
２１４  固定部
２２  改修用下枠
２２１  改修用下枠本体
２２２  室外側垂下壁
２２３  室内側壁部
２２４  支持壁
２３  改修用左縦枠
２３１  改修用縦枠本体
２３２  室外側横突出片
２３３，２３４  脚片
２３５  室内側フランジ片
２４  改修用右縦枠
２４１  改修用縦枠本体
２４２  外側横突出片
２４３，２４４  脚片
２４５  室内側フランジ片
２５  上捨枠
２５１  水平壁
２５２  室外側片
２５３  室内側片
２６  支持部材
２８  縦捨枠
２８１  内周壁
２８２  室外壁
２８３  室内壁
３  方立
３１  室外壁
３２  室内壁
３３，３４  連結壁
３３２，３４２  固定部
３３３，３４３  凹壁部
３３４，３４４  室内側壁部
３３５、３４５  当接壁部
３５、３６  凹部
３７  爪部
３８  カバー部材
３９  キャップ
４１  既設上枠
４２  既設下枠
４３  既設左縦枠
５１  既設上枠
５２  既設下枠
５４  既設右縦枠
６１  化粧枠
７  スペーサ
８１  シールテープ
【図１】
2015132149.tif 000003
【図２】
2015132149.tif 000004
【図３】
2015132149.tif 000005
【図４】
2015132149.tif 000006
【図５】
2015132149.tif 000007
【図６】
2015132149.tif 000008
【図７】
2015132149.tif 000009